(57)【要約】【課題】照明装置において、ＥＬ素子の発光による空間演出を行なうことができ、且つ利用者が自然光による恩恵を受けられるようにする。【解決手段】照明装置１は、透明なＥＬ素子２を建造物Ｓの採光部Ｒに配置した発光体３と、ＥＬ素子２を点灯制御する制御部４と、を備える。この構成によれば、制御部４がＥＬ素子２を点灯制御することにより、空間演出を行なうことができ、また、透明なＥＬ素子２を用いているので、ＥＬ素子２を消灯させることにより、利用者が自然光による恩恵を受けることができる。【選択図】図１
2012015081.tif 000002
【特許請求の範囲】
【請求項１】
透明なＥＬ素子を建造物の採光部に配置した発光体と、前記ＥＬ素子を点灯制御する制御部と、を備えたことを特徴とする照明装置。
【請求項２】
前記ＥＬ素子を複数個、前記採光部に格子状に配置したことを特徴とする請求項１に記載の照明装置。
【請求項３】
前記ＥＬ素子は、前記採光部の内面に配設されていることを特徴とする請求項１又は請求項２に記載の照明装置。
【請求項４】
前記制御部は、前記ＥＬ素子を所定のパターンに従って点灯制御することによって、前記採光部に映像又は広告を表示させることを特徴とする請求項１乃至請求項３のいずれか一項に記載の照明装置。
【請求項５】
前記制御部は、前記ＥＬ素子を所定のパターンに従って点灯制御することによって、前記採光部に避難誘導又は警告を表示させることを特徴とする請求項１乃至請求項３のいずれか一項に記載の照明装置。
【発明の詳細な説明】
【技術分野】
【０００１】
本発明は、ＥＬ素子を用いた照明装置に関する。
【背景技術】
【０００２】
エレクトロルミネッセンス（ＥＬ）素子は、発光層を陽極及び陰極で挟持させた発光部が透明基板上に形成されたものであり、電極間に電圧印加されたとき、発光層にキャリアとして注入された電子及びホールの再結合により生成された励起子によって発光する。
【０００３】
ＥＬ素子は、発光層の蛍光物質に有機物を用いた有機ＥＬ素子と、無機物を用いた無機ＥＬ素子に大別される。特に、有機ＥＬ素子は、低電圧で高輝度の発光が可能であり、蛍光物質の種類によって様々な発光色が得られ、また、平面発光体としての製造が容易であるという特性がある。
【０００４】
この特性を活かして、有機ＥＬ素子から成るディスプレイ装置を、壁面や窓等に配置して、ディスプレイ装置に画像を再生させることにより、内装デザインを簡易に変更できるようにした技術が知られている（例えば、特許文献１参照）。
【０００５】
【特許文献１】国際公開第２００７／０７５０３２パンフレット
【発明の開示】
【発明が解決しようとする課題】
【０００６】
しかしながら、このようなＥＬ素子から成るディスプレイ装置の使用は、壁面や窓に映像表示をすることによって、擬似的な仮想空間を演出するものであって、壁面等の全面に大型テレビ等の平面ディスプレイを設置することと実質的に変わらない。従って、ディスプレイ装置に対面する人は、ＥＬ素子の発光による人工的な光を用いた空間演出といった種々のサービス等を享受できるが、その一方で、自然光による恩恵を受けられない。
【０００７】
本発明は、上記課題を解決するものであって、ＥＬ素子の発光による空間演出を行なうことができ、且つ利用者が自然光による恩恵を受けられる照明装置を提供することを目的とする。
【課題を解決するための手段】
【０００８】
上記課題を解決するため、本発明は、照明装置において、透明なＥＬ素子を建造物の採光部に配置した発光体と、前記ＥＬ素子を点灯制御する制御部と、を備えたことを特徴とする。
【０００９】
また、上記照明装置において、前記ＥＬ素子を複数個、前記採光部に格子状に配置したものが好ましい。
【００１０】
また、上記照明装置において、前記ＥＬ素子は、前記採光部の内面に配設されていることが好ましい。
【００１１】
また、上記照明装置において、前記制御部は、前記ＥＬ素子を所定のパターンに従って点灯制御することによって、前記採光部に映像又は広告を表示させるものであってもよい。
【００１２】
また、上記照明装置において、前記制御部は、前記ＥＬ素子を所定のパターンに従って点灯制御することによって、前記採光部に避難誘導又は警告を表示させるものであってもよい。
【発明の効果】
【００１３】
本発明の照明装置によれば、制御部がＥＬ素子を点灯制御することにより、空間演出を行なうことができ、また、透明なＥＬ素子を用いているので、ＥＬ素子を消灯させることにより、利用者が自然光による恩恵を受けることができる。
【図面の簡単な説明】
【００１４】
【図１】本発明の第１の実施形態に係る照明装置を用いたアーケードの概略構成を示す図。
【図２】同照明装置を用いた空間におけるシステム構成を示すブロック図。
【図３】同照明装置の一部分解斜視図。
【図４】同照明装置に用いられるＥＬ素子の概略構成を示す側断面図。
【図５】同照明装置をアーケード天井の採光部に用いた空間において、昼間にＥＬ素子を全消灯させている状態を示す図。
【図６】同空間において、ＥＬ素子を全点灯させている状態を示す図。
【図７】同空間において、ＥＬ素子を部分的に点灯させている状態を示す図。
【図８】同空間において、ＥＬ素子を所定パターンで点灯させて避難誘導を表示している状態を示す図。
【図９】同空間において、夜間にＥＬ素子を全消灯させている状態を示す図。
【図１０】同照明装置の変形例を示す斜視図。
【図１１】本発明の第２の実施形態に係る照明装置を天井に用いた室内空間において、ＥＬ素子を全点灯させている状態を示す図。
【図１２】同室内空間において、昼間にＥＬ素子を全消灯させている状態を示す図。
【図１３】同室内空間において、曇り空又は雨天時等にＥＬ素子を部分的に点灯させている状態を示す図。
【図１４】同室内空間において、夜間にＥＬ素子を部分的に点灯させている状態を示す図。
【図１５】同室内空間において、夜間にＥＬ素子を全消灯させている状態を示す図。
【図１６】本発明の第３の実施形態に係る照明装置を車のサンルーフに用いた車内空間において、夜間にＥＬ素子を全点灯させている状態を示す図。
【図１７】同車内空間において、昼間にＥＬ素子を全消灯させている状態を示す図。
【図１８】同車内空間において、夜間にＥＬ素子を全消灯させている状態を示す図。
【図１９】本発明の第４の実施形態に係る照明装置を高層ビルの窓に用いたときの高層ビルＢの外観において、昼間にＥＬ素子を全消灯させている状態を示す図。
【図２０】同外観において、夜間にＥＬ素子を全点灯させている状態を示す図。
【図２１】同外観において、夜間にＥＬ素子を個別に点灯制御して広告を表示させている状態を示す図。
【図２２】同車内空間において、夜間にＥＬ素子を個別に点灯制御して映像を表示させている状態を示す図。
【図２３】同車内空間において、夜間にＥＬ素子を個別に点灯制御して映像を表示させている状態を示す図。
【図２４】本発明の第５の実施形態に係る照明装置を農業用ハウスの天井に用いたときのハウス内において、夜間や雨天時にＥＬ素子を全消灯させている状態を示す図。
【図２５】同ハウス内において、昼間にＥＬ素子を全消灯させている状態を示す図。
【発明を実施するための形態】
【００１５】
本発明の第１の実施形態に係る照明装置について、図１乃至図１０を参照して説明する。本実施形態の照明装置１は、図１及び図２に示すように、アーケード天井Ｓの採光部Ｒに用いられるものである。具体的には、照明装置１は、透明なＥＬ素子２をアーケード天井Ｓの採光部Ｒ（建造物の採光部）に配置した発光体３と、ＥＬ素子２を点灯制御する制御部４と、を備えている。アーケード天井Ｓは、連続的に配置されたアーチ状のフレームＦが複数の支柱Ｔによって支持された構造となっている。フレームＦ及び支柱Ｔには、給電線及び信号線の双方を含む配線５（図１では、破線で示す）が設けられており、この配線５が各発光体３の一端部に設けられた制御部４の受信部４１と電気的に接続されている。また、配線５は、制御装置６に接続される。制御装置６は、給電部ＡＣに接続され、所定電力を照明装置１の制御部４に供給すると共に、それらの点灯制御信号を出力する。なお、図１では、制御装置６を、屋外設置型の集中管理システムとして示している。
【００１６】
制御部４は、上述した受信部４１に加えて、駆動回路４２と、記憶部４３と、演算部４４とを備える。駆動回路４２は、演算部４４から出力される制御信号に従ってオンオフ動作をする少なくとも１つ以上のスイッチ素子等から成り、各ＥＬ素子２を点灯駆動させる。記憶部４３は、ＥＥＰＲＯＭ等の汎用のメモリ及びマイコン等から成り、各ＥＬ素子２に個別のアドレスを割り宛て、そのアドレスを記憶すると共に、制御装置６から受信した制御信号に従って所定アドレスのＥＬ素子２の点灯パターン等を記憶する。また、演算部４４は、汎用のマイコン等から成り、駆動回路４２を制御して所定アドレスのＥＬ素子２を記憶部４３に記憶された点灯パターンに基づいて点灯させるための出力値を決定し、それを駆動回路４２に実行させる。
【００１７】
制御装置６は、操作部６１と、送信部６２と、記憶部６３と、演算部６４とを備える。操作部６１は、ユーザの操作によるＥＬ素子２の点灯制御内容を入力するものである。この操作部６１には、ＥＬ素子２の点灯状態を表示する表示部等が設けられてもよい。送信部６２は、演算部６４の命令に従って所定の制御信号を制御部４へ送信する。記憶部６３は、照明装置１が複数である場合、照明装置１毎の各ＥＬ素子２に個別のアドレスを割り宛て、そのアドレスを記憶すると共に、夫々のＥＬ素子２の点灯パターン等を記憶する。演算部６４は、記憶部６３に記憶された点灯パターンに基づいて所定のＥＬ素子２を点灯させる制御信号を送信部６２に出力させる。なお、上述した制御部４の記憶部４３及び演算部４４は、制御装置６の記憶部６３及び演算部６４に共用化されていてもよい。なお、制御装置６には、インターネットに接続されたパソコンや携帯電話といった情報処理端末や、アーケード内外に設置された照度センサ（不図示）等と接続可能な情報出力手段が設けられてもよい。
【００１８】
照明装置１は、図３に示す通り、複数個のＥＬ素子２が格子状に配置された発光体３が、対向する２枚の透光板１０，１１に挟持された構成となっている。なお、図例では、一方の透光板１０の一部を切り欠いて表現している。また、各ＥＬ素子２は、個別に点灯制御されるように、ＩＴＯ（酸化インジウムスズ：インジウムチンオキサイド）等の透明な配線１２によって制御部４の駆動回路４２（図２参照）に接続されている。各ＥＬ素子２間の間隔は、絶縁性を確保できる範囲において、なるべく狭く形成されることが望ましい。なお、この間隔に、例えば、光拡散材を含有した絶縁性樹脂膜が設けられてもよい。
【００１９】
ＥＬ素子２は、無機ＥＬ素子であってもよいが、素子の平面化に適した有機ＥＬ素子が好ましい。また、その形状は、５〜６００ｍｍ角、好ましくは５０〜１００ｍｍの略正方形形状の平面発光体である。一つのＥＬ素子２が、単体の発光パネルを構成するものであってもよいし、例えば、１０ｍｍ角のＥＬ素子（発光セル）を格子状に１００個設けることによって一つの発光パネルを構成するものであってもよい。後者の場合、セル単位で点灯制御されるように透明な配線のパターンニングが施されることが望ましい。また、その場合の駆動方式は、アクティブ型、パッシブ型のいずれであってもよい。
【００２０】
また、ＥＬ素子２は、図４に示すように、透光性を有する基板２２上に、発光部２３を形成し、その外側を封止材２４で被覆したものである。なお、ここでは、ＥＬ素子２が単体の発光パネルとして構成されている例を示すが、上述した複数のＥＬ素子を組み合わせた発光パネルにおいても、発光部のサイズや配線のパターンニング等の相違点を除き、基本的な構成は同じである。発光部２３は、透明導電膜から成る陽極２３ａ、発光機能を有する発光層２３ｂ、透光性を有する陰極２３ｃを、順に基板２２上に積層形成したものである。封止材２４は、透明な材料から構成されており、各電極の一部が露出するように被覆され、これら電極の露出部は、直接又はリード線等を介して電極端子（不図示）に電気的に接続される。
【００２１】
基板２２は、ソーダライムガラスや無アルカリガラス等の透光性ガラスや、透光性樹脂材料等から成り、矩形板状に形成される。なお、照明装置１を構成する透光板１１（図３参照）上に発光部２３等を形成してもよく、この場合、透光板１１が実質的な基板２２ということになる。
【００２２】
陽極２３ａは、発光層２３ｂにホールを注入するための電極であり、仕事関数の大きい金属、合金、導電性化合物又はこれらの混合物から成る電極材料が用いられ、好ましくは、仕事関数が４ｅＶ以上のものが用いられる。特に、ＩＴＯ、ＳｎＯ２（酸化スズ）、ＺｎＯ（酸化亜鉛）等の透光性の導電材料が好ましい。陽極２３ａは、これらの電極材料を、基板２２の表面に、例えば、真空蒸着法やスパッタリング法等の方法により成膜及びパターニングすることによって形成される。
【００２３】
発光層２３ｂは、所望の白色光を発光させ得る有機蛍光材料が用いられ、例えば、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス（８−ヒドロキシキノリナート）アルミニウム錯体、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、１−アリール−２，５−ジ（２−チエニル）ピロール誘導体、ピラン、キナクリドン、ルブレン、ジスチルベンゼン誘導体、ジスチルアリーレン誘導体、及びこれらの発光性化合物から成る基を分子構造の一部に有する化合物、高分子材料、各種蛍光色素の混合材料等が用いられる。なお、上述したような複数のＥＬ素子によって発光パネルが構成される場合、各ＥＬ素子がＲＧＢの異なる発光色となるように、適宜に蛍光体が選択されることが望ましい。
【００２４】
発光層２３ｂは、陽極２３ａの表面に上述した化合物を、例えば、真空蒸着法により成膜及びパターニングすることによって形成される。なお、発光層２３ｂは、複数の異なる材料が積層されたものであってもよく、これら複数層の間に電位を調整するためのバッファ層を介在させてもよい。
【００２５】
陰極２３ｃは、発光層２３ｂに電子を注入するための電極であり、陽極２３ａと同様に、ＩＴＯ、ＳｎＯ２、ＺｎＯ等の透光性の導電材料によって形成される。また、陰極２３ｃも陽極２３ａと同様の方法により形成される。なお、陽極２３ａ及び発光層２３ｂの間には、陽極２３ａから発光層２３ｂへのホール注入効果を促進するホール注入・輸送層（不図示）が設けられてもよい。また、発光層２３ｂ及び陰極２３ｃの間には、好ましくは、陰極２３ｃから発光層２３ｂへの電子注入効果を促進する電子注入・輸送層（図示せず）が設けられる。
【００２６】
このように構成されたＥＬ素子２においては、電極端子を介して所定の電力が供給されることにより、発光層２３ｂが発光する。発光した光は、陽極２３ａ及び陰極２３ｂを透過してＥＬ素子２外へ取り出され、発光体３の両面から出射する。なお、ＥＬ素子２の発光面には、基板２２を傷や汚れ等から保護するため、アクリル樹脂等から成る保護層や、基板２２からの光取り出し効率を高めるための拡散層等が設けられてもよい（不図示）。
【００２７】
ここで、照明装置１がアーケード天井Ｓの採光部Ｒに用いられたときの作動例を説明する。例えば、昼間において、アーケード天井Ｓの外側が十分に明るいとき、図５に示すように、全ての照明装置１におけるＥＬ素子２を消灯させる。このとき、ＥＬ素子２は透明であるため、照明装置１は、アーケード外の光をアーケード内に取り込むための採光部として機能し、歩行者は自然光を浴びることができる。また、照明装置１は、自然光の入射を遮ぎらないので、アーケード内に照明装置１の陰を生じさせることがなく、アーケード内を通行する歩行者等に対して、全く存在感を与えない。そのため、アーケード内を開放感あふれた空間とすることができる。
【００２８】
続いて、夜間等、アーケード天井Ｓの外側が暗くなると、制御装置６（図１及び図２参照）からの制御信号を受けて、各照明装置１の制御部４は、図６に示すように、格子状に配置された複数のＥＬ素子２の全てを点灯させる。つまり、照明装置１を、文字通り照明装置として機能させ、アーケード内を明るくする。このとき、アーケード内を通行する歩行者等は、アーケード天井Ｓの採光部Ｒから光が差し込んでいるかのように見える。そのため、アーケード内における照明装置の存在感が無く、広々とした空間を演出することができる。
【００２９】
また、昼間であっても、曇り空や雨天時においては、図７に示すように、アーケード天井Ｓの採光部Ｒにおいて、点灯していない箇所と点灯している箇所とが、市松模様となるように、各ＥＬ素子２を点灯させる。すなわち、発光してない箇所においては、透明なＥＬ素子２は、アーケード外の自然光をアーケード内に入射させ、発光しているＥＬ素子２は、アーケード内を補光する。つまり、本実施形態の照明装置１は、この照明装置１が設けられたアーケードの日照状態に応じて、制御部４が、適宜に格子状に配置された透明なＥＬ素子２を個別に点灯又は消灯させることにより、アーケード外から光を採り入れつつアーケード内へ光を補うことができる。こうすることで、自然との調和が取れた、歩行者等に寛ぎや安らぎを与えるような空間演出をすることができると共に、アーケード内の明るさを確保しながらも、無駄な電力消費を抑制することができる。
【００３０】
また、制御部４は、ＥＬ素子２を所定のパターンに従って点灯制御することによって、採光部Ｒに映像又は広告を表示させたり、避難誘導又は警告を表示させることができる。図８には、それらの一例として、アーケード天井Ｓの採光部Ｒに、歩行者等を出口へ誘導する避難誘導を表示させた例を示す。
【００３１】
従来から、アーケード天井に多数の電飾を配置して、アーケード天井全体をスクリーンのようにして、様々な映像を表示させる技術があり、例えば、ラスベガスのフリーモントストリートのアーケードショーがよく知られている。しかし、この種のアーケードでは、電飾にＬＥＤを用いているため、アーケード外の光を採り入れることができない。これに対して、本実施形態の照明装置１によれば、ＥＬ素子２を点灯又は消灯させることにより、映像を表示させることもでき、かつ自然光を採り入れることもできる。
【００３２】
また、アーケード内を通行する歩行者等と、アーケード天井Ｓとは、１０数メートル程度の距離がある。そのため、一つのＥＬ素子２がある程度大きな平面発光体として構成されていても、複数のＥＬ素子２を格子状に配置した状態で、それらを所定パターンで個別に点灯制御すれば、遠めで見る歩行者等に対しては、それをクリアな映像として見せることができる。なお、図９に示すように、夜間に全消灯させれば、歩行者等はアーケード内に居ながら夜空を眺めることができる。
【００３３】
また、図１０に示すように、ＥＬ素子パネル２の基板に柔軟性を有する樹脂シート２５を用い、この樹脂シート２５上に、所定寸法の発光部２３及び封止材２４（図４参照）を、複数個設けて、いわゆるフレキシブルＥＬ素子シート２６を作成する。このフレキシブルＥＬ素子シート２６を透光板２１の内面に貼着させて、これを照明装置１としてもよい。例えば、既存のアーケード天井Ｓの採光部Ｒを構成するガラス等の内側に、フレキシブルＥＬ素子シート２６を貼着させれば、この採光部Ｒを、本実施形態の照明装置１と同様の機能を持たせることができる。
【００３４】
次に、本発明の第２の実施形態に係る照明装置について、図１１乃至図１２参照して説明する。本実施形態の照明装置１は、居住空間の天井Ｃに設けられた開口部に取り付けられるものである。ここでは、一つの照明装置１が開口部に取り付けられた例を示すが、照明装置１の数は特に限定されない。また、照明装置１自体の基本的な構成は、上記第１の実施形態と同様である。本実施形態によれば、図１１に示すように、ＥＬ素子２を全点灯させれば、照明装置１は照明器具として機能し、室内を明るくすることができる。しかも、通常の照明器具では、器具本体等が室内で大きな存在感を示すが、本実施形態の照明装置１は、一見したところ通常の天窓であり、照明器具としての存在感がない。そのため、室内を広々とした開放感ある空間とすることができる。また、昼間は、図１２に示すように、ＥＬ素子２を全消灯せれば、照明装置１は、いわゆる天窓として機能し、居住者は解放的な大空を眺めることができ、また、自然光によって室内を明るくすることができる。更に、曇り空や雨天時には、図１３に示すように、部分的にＥＬ素子２を点灯させれば、室内の補光をすることができる。また、夜間に、図１４に示すように、照明装置１の周囲のみを点灯させることにより、ムードのある空間演出も可能となる。なお、図１５に示すように、夜間に全消灯させれば、居住者が室内に居ながら夜空を眺めることができるようになる。
【００３５】
すなわち、本実施形態の照明装置１を居住空間の天井Ｃに設けられた開口部に取り付けると共に、日照量や天候、及び居住者のライフスタイルに応じた点灯パターンを用いることで、居住者に寛ぎを感じさせる空間演出をすることができる。
【００３６】
次に、本発明の第３の実施形態に係る照明装置について、図１６乃至図１８を参照して説明する。本実施形態の照明装置１は、自動車のサンルーフＵとして用いられるものである。この照明装置１は、自動車の停車時又は駐車時に、図１６に示すように、ＥＬ素子２を点灯させる。近年では、自動車の車内が個室空間として認識されるようになってきており、特に、電気自動車ではその傾向が顕著である。本実施形態においては、サンルーフを点灯させることにより、ドライバーが、例えば、停車時に読書を楽しんだりすることができ、車内を居心地良い空間とすることができる。また、図示を省略しているが、本実施形態においても、照明装置１の一部のみを個別に点灯させて、ドライバーの嗜好に従って、ＥＬ素子２が適宜に点灯制御される。なお、昼間や走行時は、図１７、図１８に示すように、ＥＬ素子２を消灯させておけば、照明装置１は、通常のサンルーフとして機能する。
【００３７】
なお、ここでは、照明装置１をサンルーフＵとして用いた例のみを示すが、例えば、フロントガラス、サイドガラス、リアガラスにも本実施形態の照明装置１を適用することができ、全ての面を点灯させれば、車外から車内を見ることができなくなり、プライベートな空間をつくることができる。
【００３８】
次に、本発明の第４の実施形態に係る照明装置について、図１９乃至図２３を参照して説明する。本実施形態の照明装置１は、高層ビルＢの窓の夫々に配置されたものである。例えば、昼間、屋外が十分に明るいとき、図１９に示すように、全ての照明装置１におけるＥＬ素子２を消灯させる。このとき、ＥＬ素子２は透明であるため、照明装置１は屋外の光を屋内に取り込む、通常の窓として機能する。照明装置１は、自然光の入射を遮ぎらないので、屋内に照明装置１の陰を生じさせることがなく、全く存在感を与えない。そのため、ビルＢ内の人は、自然光を浴びることができる。また、夜間等、屋外が暗くなると、制御装置６（図１及び図２参照）からの制御信号を受けて、各照明装置１の制御部４は、図２０に示すように、ＥＬ素子２を点灯させる。このとき、照明装置１は透明なＥＬ素子２を用いているので、実際には、照明装置１の両面から光が照射される。すなわち、照明装置１を点灯させれば、高層ビルＢ外だけでなく、高層ビルＢ屋内にも光が照射され、室内を明るくすることができる。
【００３９】
また、夜間に、複数の照明装置１に含まれる各ＥＬ素子２を所定のパターンで個別に点灯制御することにより、図２１に示すように、高層ビルＢ外に居る人に対して、広告や映像を表示することができる。上述したように、照明装置１の両面から光が照射される。上記第１の実施形態においては、アーケード天井Ｓの採光部Ｒに照明装置１を用いてアーケード内に居る人に対して映像表示を行っている。一方、本実施形態においては、高層ビルＢ外に居る人に対して、広告や映像を表示することを実現したものである。その結果、高層ビルＢの外面を用いて様々な映像表現をすることができる。例えば、図２２に示すように、現実に存在する高層ビルＢとは異なる形状のビルが存在するかのように見せることができる。また、図２３に示すように、高層ビルＢが、まるで踊っているかのように見せることができる。
【００４０】
次に、本発明の第５の実施形態に係る照明装置について、図２４及び図２５を参照して説明する。本実施形態の照明装置１は、植物を育成するための農業用ハウスＨの透明屋根に配置されたものである。照明装置１は、ハウスＨを構成する骨組みに沿って取り付けられる。従来から、植物の温室栽培においては、日照量の少ない冬季や天候不順時等に、照明器具を擬似太陽として用いることにより、日照量を補って植物の育成を促進させ、年間を通じて安定して農作物を生産している。本実施形態においては、図２４に示すように、夜間や雨天時等に、温室の天井面に配置された照明装置１のＥＬ素子２を点灯させることにより、照明装置１を擬似太陽として機能させ、植物に対する日照量を補足することができる。
【００４１】
また、晴天時の昼間のように、自然光を採り入れられるときは、図２５に示すように、照明装置１のＥＬ素子２を消灯させる。こうすれば、ＥＬ素子２は透明であるため、自然光の入射を遮ることなく、温室内に多くの光を採り入れることができる。従来の照明装置においては、照明装置が温室内に吊り下げられていると、照明器具の器具本体や反射鏡等よって陰ができてしまい、植物に照射される日照量を低下させることがあった。これに対して、本実施形態によれば、透明なＥＬ素子２を用いているので、照明装置１によって陰ができることはなく、植物に照射される日照量を低下せることもない。なお、図示を省略しているが、例えば、ＥＬ素子２を個別に点灯制御して、一部のＥＬ素子２のみを点灯させることにより、ハウスＨ外から自然光を採り入れつつ、ＥＬ素子２による補光を行なうようにしてもよい。
【００４２】
なお、本発明は、上述の実施形態に限られることなく種々の変形が可能である。例えば、上述した本実施形態では、格子状に配置された複数のＥＬ素子２を個別にオンオフ制御して、照明装置１全体における発光面積を変化させる例を示したが、制御部４が複数のＥＬ素子２の夫々の調光出力を制御するようにしてもよい。また、赤色、青色、黄色の３色を発光可能なＥＬ素子２を用い、制御部４が、これらの発光色を組み合わせて点灯制御することにより、例えば、様々なシチュエーションに室内空間の演色性を変化させるようにしてもよい。
【符号の説明】
【００４３】
１    照明装置
２    ＥＬ素子
３    発光体
４    制御部
２１    窓ガラス
Ｓ    アーケード（建造物）
Ｒ    採光部
【図１】
2012015081.tif 000003
【図２】
2012015081.tif 000004
【図３】
2012015081.tif 000005
【図４】
2012015081.tif 000006
【図５】
2012015081.tif 000007
【図６】
2012015081.tif 000008
【図７】
2012015081.tif 000009
【図８】
2012015081.tif 000010
【図９】
2012015081.tif 000011
【図１０】
2012015081.tif 000012
【図１１】
2012015081.tif 000013
【図１２】
2012015081.tif 000014
【図１３】
2012015081.tif 000015
【図１４】
2012015081.tif 000016
【図１５】
2012015081.tif 000017
【図１６】
2012015081.tif 000018
【図１７】
2012015081.tif 000019
【図１８】
2012015081.tif 000020
【図１９】
2012015081.tif 000021
【図２０】
2012015081.tif 000022
【図２１】
2012015081.tif 000023
【図２２】
2012015081.tif 000024
【図２３】
2012015081.tif 000025
【図２４】
2012015081.tif 000026
【図２５】
2012015081.tif 000027